(57)【要約】【課題】攪拌供給装置の電源電圧と、壁紙糊付機本体の制御装置の電源電圧の両方が低下せず、壁紙糊付機本体の制御に支障が生じず、攪拌供給装置から、調合・攪拌した糊を、安定して、一定量で、自動壁紙糊付機の壁紙糊付機本体の糊貯留部へ供給可能な自動壁紙糊付機の糊攪拌供給システムを提供する。【解決手段】壁紙糊付機本体１６の電源コード３２と、攪拌供給装置１４の電源コード４４を別々の電源Ａ、Ｂに接続するように構成するとともに、壁紙糊付機本体１６の駆動を制御する糊付駆動制御部１８と、攪拌供給装置１４の駆動を制御する攪拌供給駆動制御部３８との間を、接続ケーブル６０または無線接続を介して接続可能に構成し、攪拌供給装置１４から、壁紙糊付機本体１６に対して糊を供給するように制御する供給制御装置１３を備える。【選択図】図１
2019010604.tif 000002
【特許請求の範囲】
【請求項１】
壁紙の裏面に、予め設定された長さの壁紙に自動的に糊を塗布するための自動壁紙糊付機において、
前記自動壁紙糊付機の攪拌供給装置で攪拌・精製（調合）した糊を、攪拌供給装置から、自動壁紙糊付機の壁紙糊付機本体に対して供給するための自動壁紙糊付機の糊攪拌供給システムであって、
前記壁紙糊付機本体の電源コードと、前記攪拌供給装置の電源コードを別々の電源に接続するように構成するとともに、
前記壁紙糊付機本体の駆動を制御する糊付駆動制御部と、前記攪拌供給装置の駆動を制御する攪拌供給駆動制御部との間を、接続ケーブルまたは無線接続を介して接続可能に構成し、
前記攪拌供給装置から、壁紙糊付機本体に対して糊を供給するように制御する供給制御装置を備えるように構成したことを特徴とする自動壁紙糊付機の糊攪拌供給システム。
【請求項２】
前記攪拌供給装置には、糊の供給を手動で操作するＯＮ／ＯＦＦスイッチが、攪拌供給駆動制御部に対して、接続ケーブルまたは無線接続を介して接続可能なように構成されていることを特徴とする請求項１に記載の自動壁紙糊付機の糊攪拌供給システム。
【請求項３】
前記供給制御装置が、接続ケーブルまたは無線接続が、接続状態か否かで、攪拌供給装置から、壁紙糊付機本体に対して糊を供給する制御を行うように構成されていることを特徴とする請求項１から２のいずれかに記載の自動壁紙糊付機の糊攪拌供給システム。
【請求項４】
前記供給制御装置が、接続ケーブルまたは無線接続が、差動状態か否かで、攪拌供給装置から、壁紙糊付機本体に対して糊を供給する制御を行うように構成されていることを特徴とする請求項１から２のいずれかに記載の自動壁紙糊付機の糊攪拌供給システム。
【請求項５】
前記供給制御装置が、攪拌供給装置の切り替えスイッチが、ポンプ側にあるか攪拌側にあるかを判断して、
前記攪拌供給装置の切り替えスイッチが、ポンプ側にある場合には、攪拌供給装置から、壁紙糊付機本体に対して糊を供給するように制御し、
前記攪拌供給装置の切り替えスイッチが、攪拌側にある場合には、前記攪拌供給装置における糊攪拌を行うように制御するように構成されていることを特徴とする請求項１から４のいずれかに記載の自動壁紙糊付機の糊攪拌供給システム。
【請求項６】
前記供給制御装置が、前記壁紙糊付機本体の糊付駆動制御部、または、前記攪拌供給装置の攪拌供給駆動制御部の少なくともいずれか一方に設けられていることを特徴とする請求項１から５のいずれかに記載の自動壁紙糊付機の糊攪拌供給システム。
【請求項７】
前記供給制御装置が、前記壁紙糊付機本体と攪拌供給装置とは別に設けられた外部制御装置に設けられていることをを特徴とする請求項１から５のいずれかに記載の自動壁紙糊付機の糊攪拌供給システム。
【発明の詳細な説明】
【技術分野】
【０００１】
本発明は、壁紙（クロス）の裏面に、例えば、天井、壁面に貼着するための糊を、所定の量で、所定の長さの壁紙に自動的に塗布するための自動壁紙糊付機において、壁紙糊付機本体の糊貯留部の糊が一定量以下に減少した際に、攪拌供給装置で攪拌・精製（調合）した糊を、攪拌供給装置から、自動壁紙糊付機の壁紙糊付機本体に対して供給するための自動壁紙糊付機の糊攪拌供給システムに関する。
【背景技術】
【０００２】
従来より、壁紙に糊付けする糊を作るために、ペースト状の糊や粉末状の糊と水を、バケツに入れて希釈攪拌することが行われている。
【０００３】
このため、一般的に、糊の攪拌は、ドリルの先に攪拌棒をつけて、棒を回転させる方法で行っている。その場合、熟練の技がないと、いわゆる「塊（ダマ）」ができてしまい、糊付する糊として使えないことになる。
【０００４】
また、糊の供給は、糊付しながら糊の減り具合を見て、柄杓で自動壁紙糊付機の壁紙糊付機本体の糊貯留部（糊箱）に入れるので、供給が遅れると壁紙に糊が付かない部分ができてしまい、この状態で施工を行うと後で施工不良で不具合になってしまう。
【０００５】
このため、特許文献１（実用新案登録第３０３３９３２号公報）、特許文献２（特許第４７２５８２８号公報）に開示されるように、自動壁紙糊付機の壁紙糊付機本体の糊貯留部の糊が一定量以下に減少した際に、攪拌供給装置で攪拌・精製（調合）した糊を、攪拌供給装置から、自動壁紙糊付機の壁紙糊付機本体に対して供給する攪拌供給装置が提案されている。
【０００６】
すなわち、攪拌供給装置は、壁紙に糊付けする糊を作るために、ペースト状の糊や粉末状の糊と水を、バケツに入れて希釈攪拌する機械であり、攪拌供給装置から接続ホースを介して、壁紙糊付機本体の糊貯留部へ供給するように構成されている。
【０００７】
このため、攪拌供給装置は、熟練の技がなくても、決まった分量の糊と水を入れるだけで、一定時間攪拌すればダマもできずに、きれいな糊付する糊を作ることができ、この糊を、接続ホースを介して、自動壁紙糊付機の壁紙糊付機本体の糊貯留部に供給することができるようになっている。
【先行技術文献】
【特許文献】
【０００８】
【特許文献１】実用新案登録第３０３３９３２号公報
【特許文献２】特許第４７２５８２８号公報
【発明の概要】
【発明が解決しようとする課題】
【０００９】
ところで、従来の攪拌供給装置は、２つの機能を有しており、切り替えスイッチを切り替えて使用するように構成されている。すなわち、１つは糊攪拌機として、一定量の糊と水を加えて、一定時間攪拌することにより、適切な粘度の糊を精製するようになっている。また、もう１つは、糊供給用ポンプとして、ポンプを始動して、接続ホースを介して、自動壁紙糊付機の壁紙糊付機本体の糊貯留部へ攪拌した糊を供給するように構成されている。
【００１０】
ところで、糊を攪拌して、ポンプで手動供給する職人がいるが、この方法では、人の手で糊を供給するため、糊の減り具合を常に気にする必要がある。
【００１１】
従って、糊の供給を人の手を介さず自動化して、糊の減り具合を気にせずに作業したいという職人も現れ、連動供給（自動供給）できることが望まれている。
【００１２】
このため、従来より、図１２のブロック図に示したような構成の自動壁紙糊付機の糊攪拌供給システム１００が提案されている。
【００１３】
すなわち、図１２に示したように、符号１００は、全体で、自動壁紙糊付機の糊攪拌供給システム（以下、単に「糊攪拌供給システム１００」と言う）を示している。
【００１４】
糊攪拌供給システム１００は、壁紙の裏面に、所定の量で、所定の長さの壁紙に自動的に塗布するための自動壁紙糊付機１０２を備えている。
【００１５】
また、自動壁紙糊付機１０２は、一定量の糊と水を加えて、一定時間攪拌することにより、適切な粘度の糊を攪拌・精製（調合）するための攪拌供給装置１０４を備えている。
【００１６】
さらに、自動壁紙糊付機１０２は、壁紙糊付機本体１０６を備えており、壁紙糊付機本体１０６は、壁紙糊付機本体１０６の駆動を制御する糊付駆動制御部１０８を備えている。
【００１７】
そして、糊付駆動制御部１０８は、例えば、インプット（入力）された壁紙の種類（または壁紙の品番）、寸法、長さの情報により、壁紙の糊付け情報を演算するための壁紙糊付演算部１１０を備えている。
【００１８】
また、糊付駆動制御部１０８は、攪拌供給装置１０４からの糊の供給時間を設定し入力するための供給時間入力部１１２を備えている。
【００１９】
そして、糊付駆動制御部１０８は、電源部１１４に接続されているとともに、壁紙の長さ（測長結果）を表示したり、駆動モーターを駆動制御したり、壁紙の種類などの情報を入力するための表示部１１６に接続されている。
【００２０】
さらに、糊付駆動制御部１０８は、自動壁紙糊付機１０２の壁紙糊付機本体１０６の糊貯留部（糊箱）の糊が一定量以下に減少した際に、電源部１１４のサービスコンセント（例えば、ＡＣ１００Ｖ電圧）１１８を有効（ＯＮ）にする（電源供給を可能にする）か、または、サービスコンセント１１８を無効（ＯＦＦ）にする（電源供給を可能にする）ために、糊供給信号（ＯＮ／ＯＦＦ信号）を生成するための糊供給信号生成回路１２０を備えている。
【００２１】
また、電源部１１４には、壁紙糊付機本体１０６の電源コード（例えば、ＡＣ１００Ｖ電圧）１２２を備えており、この電源コード１２２が外部電源Ａに接続されるように構成されている。
【００２２】
一方、攪拌供給装置１０４は、攪拌供給装置１０４のポンプ部１２４と攪拌部１２６の駆動（切り替え駆動）を制御する攪拌供給駆動制御部１２８を備えている。また、攪拌供給駆動制御部１２８は、攪拌部１２６における攪拌時間をインプット（入力）するための攪拌時間入力部１３０を備えている。
【００２３】
また、攪拌供給装置１０４は、電源部１３２を備えており、この電源部１３２は、電源コード（例えば、ＡＣ１００Ｖ電圧）１３４を備えている。
【００２４】
そして、図１２、図１３に示したように、攪拌供給装置１０４の電源コード１３４は、壁紙糊付機本体１０６の電源部１１４のサービスコンセント１１８に接続できるように構成されている。
【００２５】
また、図１４に示したように、攪拌供給装置１０４には、別途、手動で操作するＯＮ／ＯＦＦスイッチ、例えば、フットスイッチ１３６が、接続ジャックＪ４に、接続ケーブル１３６ａを介して脱着自在に接続して、攪拌供給駆動制御部１２８に対して、接続可能なように構成されている。
【００２６】
また、図１３に示したように、攪拌供給装置１０４には、切り替えスイッチ１３８が設けられており、この切り替えスイッチ１３８を、例えば、上下に移動することによって、ポンプ側、攪拌側、ＯＦＦと切り替えることができるようになっている。
【００２７】
さらに、図１３、図１４に示したように、攪拌供給装置１０４には、タイマー設定ツマミ１４０が設けられており、攪拌供給装置１０４を糊攪拌機として使用する場合に、糊の種類などに応じて、タイマー設定ツマミ１４０を回すことによって、攪拌部１２６における攪拌時間を、攪拌時間入力部１３０にインプット（入力）することができるように構成されている。
【００２８】
このように構成される従来の糊攪拌供給システム１００では、以下のようにして使用される。
【００２９】
先ず、壁紙糊付機本体１０６の電源コード１２２を、図示しない外部電源に接続する。また、攪拌供給装置１０４の電源コード１３４を、壁紙糊付機本体１０６の電源部１１４のサービスコンセント１１８に接続した状態とする。
【００３０】
そして、この状態で、攪拌供給装置１０４を糊攪拌機として使用する場合には、攪拌供給装置１０４のタンク内に、一定量の糊と水を加えて、切り替えスイッチ１３８を攪拌側に切り替える。
【００３１】
この状態で、タイマー設定ツマミ１４０を回すことによって、攪拌部１２６における攪拌時間を、攪拌時間入力部１３０にインプット（入力）され、これにより、攪拌供給駆動制御部１２８の制御により、図示しない攪拌羽根からなる攪拌部１２６が作動され、一定時間攪拌することにより、適切な粘度の糊を攪拌・精製（調合）するようになっている。
【００３２】
次に、攪拌供給装置１０４を糊供給用ポンプとして使用して、ポンプ部１２４を始動して、接続ホース１４２を介して、自動壁紙糊付機１０２の壁紙糊付機本体１０６の糊貯留部へ攪拌した糊を供給する際、または、自動壁紙糊付機１０２の壁紙糊付機本体１０６の糊貯留部（糊箱）の糊が一定量以下に減少した際には、以下のようにして連動供給運転制御がなされるようになっている。
【００３３】
すなわち、攪拌供給装置１０４を糊供給用ポンプとして使用する場合には、切り替えスイッチ１３８をポンプ側に切り替えておく。
【００３４】
そして、この状態で、糊付駆動制御部１０８の糊供給信号生成回路１２０によって、サービスコンセント１１８を無効（ＯＦＦ）にする（電源供給を可能にする）ＯＦＦ信号から、電源部１１４のサービスコンセント１１８を有効（ＯＮ）にする（電源供給を可能にする）ＯＮ信号が生成される。
【００３５】
これにより、攪拌供給装置１０４の電源が有効（ＯＮ状態）になり、糊の供給時間を設定し入力するための供給時間入力部１１２の入力結果に基づいて、ポンプ部１２４を始動して、攪拌供給装置１０４から、調合・攪拌した糊が、自動壁紙糊付機１０２の壁紙糊付機本体１０６の糊貯留部へ供給されるようになっている。
【００３６】
なお、攪拌供給装置１０４に、フットスイッチ１３６が、図示しない接続ジャックに、接続ケーブルを介して接続されている場合には、フットスイッチ１３６をＯＮの状態にしない限り、ポンプ部１２４が始動されず、攪拌供給装置１０４から、調合・攪拌した糊が、自動壁紙糊付機１０２の壁紙糊付機本体１０６の糊貯留部へ供給されないようになっている。
【００３７】
しかしながら、このように構成される従来の糊攪拌供給システム１００では、攪拌供給装置１０４の電源コード１３４を、壁紙糊付機本体１０６の電源部１１４のサービスコンセント１１８に接続した状態である。
【００３８】
すなわち、壁紙糊付機本体１０６と、攪拌供給装置１０４とは、壁紙糊付機本体１０６の電源コード１２２が接続される外部電源を使用している。
【００３９】
従って、例えば、粘性の濃い糊を供給する際には、攪拌供給装置１０４が、大きい電流を必要とするので、攪拌供給装置１０４の電源電圧と、壁紙糊付機本体１０６の制御装置の電源電圧の両方が低下してしまい、壁紙糊付機本体１０６の制御に支障がでる場合がある。
【００４０】
また、壁紙糊付機本体１０６の制御装置の電源電圧が下がれば、攪拌供給装置１０４の電源電圧も低下するので、糊の供給量が減少するとともに、攪拌供給装置１０４の電源電圧が下がると、糊の連動供給ができなくなるおそれがある。
【００４１】
さらに、攪拌供給装置１０４の電源電圧が下がると、攪拌供給装置１０４において、攪拌をしたくても、電圧が下がっているので攪拌もできないことになる。
【００４２】
この場合に、どうしても攪拌したい場合は、攪拌供給装置１０４の電源コード１３４を、壁紙糊付機本体１０６の電源部１１４のサービスコンセント１１８から取り外して、別系統の電源コードにつなぎ直す必要があり、煩雑な作業が必要になる。
【００４３】
また、この場合には、糊と水を使用した作業を行っているので、このようなコンセントの付け替えは、水に濡れて漏電するおそれもあり、好ましくなかった。
【００４４】
本発明は、このような現状に鑑み、例えば、粘性の濃い糊を供給する際に、攪拌供給装置が、大きい電流を必要とする場合でも、攪拌供給装置の電源電圧と、壁紙糊付機本体の制御装置の電源電圧の両方が低下せず、壁紙糊付機本体の制御に支障が生じず、攪拌供給装置から、調合・攪拌した糊を、安定して、一定量で、自動壁紙糊付機の壁紙糊付機本体の糊貯留部へ供給可能な自動壁紙糊付機の糊攪拌供給システムを提供することを目的とする。
【００４５】
また、本発明は、攪拌供給装置の電源電圧と、壁紙糊付機本体の制御装置の電源電圧の両方が低下せず、攪拌供給装置を糊攪拌機として使用する場合に、安定した攪拌作動ができ、適切な粘度の糊を攪拌・精製（調合）することができる自動壁紙糊付機の糊攪拌供給システムを提供することを目的とする。
【００４６】
さらに、本発明は、従来のように攪拌供給装置の電源コードを、壁紙糊付機本体の電源部のサービスコンセントから取り外して、別系統の電源コードにつなぎ直す必要がなく、煩雑な作業が不要で、漏電するおそれもない自動壁紙糊付機の糊攪拌供給システムを提供することを目的とする。
【課題を解決するための手段】
【００４７】
本発明は、前述したような従来技術における課題及び目的を達成するために発明されたものであって、本発明の自動壁紙糊付機の糊攪拌供給システムは、
壁紙の裏面に、予め設定された長さの壁紙に自動的に糊を塗布するための自動壁紙糊付機において、
前記自動壁紙糊付機の攪拌供給装置で攪拌・精製（調合）した糊を、攪拌供給装置から、自動壁紙糊付機の壁紙糊付機本体に対して供給するための自動壁紙糊付機の糊攪拌供給システムであって、
前記壁紙糊付機本体の電源コードと、前記攪拌供給装置の電源コードを別々の電源に接続するように構成するとともに、
前記壁紙糊付機本体の駆動を制御する糊付駆動制御部と、前記攪拌供給装置の駆動を制御する攪拌供給駆動制御部との間を、接続ケーブルまたは無線接続を介して接続可能に構成し、
前記攪拌供給装置から、壁紙糊付機本体に対して糊を供給するように制御する供給制御装置を備えるように構成したことを特徴とする。
【００４８】
このように構成することによって、壁紙糊付機本体の電源コードと、攪拌供給装置の電源コードを別々の電源に接続するように構成しているので、例えば、粘性の濃い糊を供給する際に、攪拌供給装置が、大きい電流を必要とする場合でも、攪拌供給装置の電源電圧と、壁紙糊付機本体の制御装置の電源電圧の両方が低下せず、壁紙糊付機本体の制御に支障が生じず、攪拌供給装置から、調合・攪拌した糊を、安定して、一定量で、自動壁紙糊付機の壁紙糊付機本体の糊貯留部へ供給可能である。
【００４９】
また、攪拌供給装置の電源電圧と、壁紙糊付機本体の制御装置の電源電圧の両方が低下せず、攪拌供給装置を糊攪拌機として使用する場合に、安定した攪拌作動ができ、適切な粘度の糊を攪拌・精製（調合）することができる。
【００５０】
さらに、従来のように攪拌供給装置の電源コードを、壁紙糊付機本体の電源部のサービスコンセントから取り外して、別系統の電源コードにつなぎ直す必要がなく、煩雑な作業が不要で、漏電するおそれもない。
【００５１】
また、本発明では、壁紙糊付機本体の駆動を制御する糊付駆動制御部と、攪拌供給装置の駆動を制御する攪拌供給駆動制御部との間を、接続ケーブルまたは無線接続を介して接続可能に構成し、攪拌供給装置から、壁紙糊付機本体に対して糊を供給するように制御する供給制御装置を備えている。
【００５２】
従って、自動壁紙糊付機の壁紙糊付機本体の糊貯留部へ攪拌した糊を供給する際、または、自動壁紙糊付機の壁紙糊付機本体の糊貯留部（糊箱）の糊が一定量以下に減少した際には、供給制御装置の制御により、接続ケーブルまたは無線接続を介して、壁紙糊付機本体の駆動を制御する糊付駆動制御部と、攪拌供給装置の駆動を制御する攪拌供給駆動制御部とが制御されて、連動供給運転制御がなされ、攪拌供給装置から、調合・攪拌した糊を、安定して、一定量で、自動壁紙糊付機の壁紙糊付機本体の糊貯留部へ供給可能である。
【００５３】
また、本発明の自動壁紙糊付機の糊攪拌供給システムは、前記攪拌供給装置には、糊の供給を手動で操作するＯＮ／ＯＦＦスイッチが、攪拌供給駆動制御部に対して、接続ケーブルまたは無線接続を介して接続可能なように構成されていることを特徴とする。
【００５４】
このように構成することによって、例えば、フットスイッチ、ハンドスイッチなどを攪拌供給装置に接続でき、糊の供給を手動で操作することができる。
【００５５】
また、本発明の自動壁紙糊付機の糊攪拌供給システムは、前記供給制御装置が、接続ケーブルまたは無線接続が、接続状態か否かで、攪拌供給装置から、壁紙糊付機本体に対して糊を供給する制御を行うように構成されていることを特徴とする。
【００５６】
このように、壁紙糊付機本体の駆動を制御する糊付駆動制御部と、攪拌供給装置の駆動を制御する攪拌供給駆動制御部との間を接続する、接続ケーブルまたは無線接続、または、糊の供給を手動で操作するＯＮ／ＯＦＦスイッチの攪拌供給駆動制御部への接続ケーブルまたは無線接続が、接続状態か否かで、攪拌供給装置から、壁紙糊付機本体に対して糊を供給する制御を行うことができる。
【００５７】
また、本発明の自動壁紙糊付機の糊攪拌供給システムは、前記供給制御装置が、接続ケーブルまたは無線接続が、差動状態か否かで、攪拌供給装置から、壁紙糊付機本体に対して糊を供給する制御を行うように構成されていることを特徴とする。
【００５８】
このように、壁紙糊付機本体の駆動を制御する糊付駆動制御部と、攪拌供給装置の駆動を制御する攪拌供給駆動制御部との間を接続する、接続ケーブルまたは無線接続、または、糊の供給を手動で操作するＯＮ／ＯＦＦスイッチの攪拌供給駆動制御部への接続ケーブルまたは無線接続が、差動状態か否かで、攪拌供給装置から、壁紙糊付機本体に対して糊を供給する制御を行うことができる。
【００５９】
また、本発明の自動壁紙糊付機の糊攪拌供給システムは、
前記供給制御装置が、攪拌供給装置の切り替えスイッチが、ポンプ側にあるか攪拌側にあるかを判断して、
前記攪拌供給装置の切り替えスイッチが、ポンプ側にある場合には、攪拌供給装置から、壁紙糊付機本体に対して糊を供給するように制御し、
前記攪拌供給装置の切り替えスイッチが、攪拌側にある場合には、前記攪拌供給装置における糊攪拌を行うように制御するように構成されていることを特徴とする。
【００６０】
このように構成することによって、供給制御装置が、攪拌供給装置の切り替えスイッチが、ポンプ側にあるか攪拌側にあるかを判断して、攪拌供給装置の切り替えスイッチが、ポンプ側にある場合には、攪拌供給装置から、壁紙糊付機本体に対して糊を供給するように制御されるようになっている。
【００６１】
また、攪拌供給装置の切り替えスイッチが、攪拌側にある場合には、前記攪拌供給装置における糊攪拌を行うように制御するようになっている。
【００６２】
従って、攪拌供給装置から、壁紙糊付機本体に対して糊を供給できるとともに、攪拌供給装置における糊攪拌を行うことができる。
【００６３】
また、本発明の自動壁紙糊付機の糊攪拌供給システムは、前記供給制御装置が、前記壁紙糊付機本体の糊付駆動制御部、または、前記攪拌供給装置の攪拌供給駆動制御部の少なくともいずれか一方に設けられていることを特徴とする。
【００６４】
このように、供給制御装置が、前記壁紙糊付機本体の糊付駆動制御部、または、前記攪拌供給装置の攪拌供給駆動制御部の少なくともいずれか一方に設けられていても良い。
【００６５】
また、本発明の自動壁紙糊付機の糊攪拌供給システムは、前記供給制御装置が、前記壁紙糊付機本体と攪拌供給装置とは別に設けられた外部制御装置に設けられていることをを特徴とする。
【００６６】
このように、供給制御装置が、前記壁紙糊付機本体と攪拌供給装置とは別に設けられた外部制御装置に設けられていても良い。
【発明の効果】
【００６７】
本発明によれば、壁紙糊付機本体の電源コードと、攪拌供給装置の電源コードを別々の電源に接続するように構成しているので、例えば、粘性の濃い糊を供給する際に、攪拌供給装置が、大きい電流を必要とする場合でも、攪拌供給装置の電源電圧と、壁紙糊付機本体の制御装置の電源電圧の両方が低下せず、壁紙糊付機本体の制御に支障が生じず、攪拌供給装置から、調合・攪拌した糊を、安定して、一定量で、自動壁紙糊付機の壁紙糊付機本体の糊貯留部へ供給可能である。
【００６８】
また、攪拌供給装置の電源電圧と、壁紙糊付機本体の制御装置の電源電圧の両方が低下せず、攪拌供給装置を糊攪拌機として使用する場合に、安定した攪拌作動ができ、適切な粘度の糊を攪拌・精製（調合）することができる。
【００６９】
さらに、従来のように攪拌供給装置の電源コードを、壁紙糊付機本体の電源部のサービスコンセントから取り外して、別系統の電源コードにつなぎ直す必要がなく、煩雑な作業が不要で、漏電するおそれもない。
【００７０】
また、本発明では、壁紙糊付機本体の駆動を制御する糊付駆動制御部と、攪拌供給装置の駆動を制御する攪拌供給駆動制御部との間を、接続ケーブルまたは無線接続を介して接続可能に構成し、攪拌供給装置から、壁紙糊付機本体に対して糊を供給するように制御する供給制御装置を備えている。
【００７１】
従って、自動壁紙糊付機の壁紙糊付機本体の糊貯留部へ攪拌した糊を供給する際、または、自動壁紙糊付機の壁紙糊付機本体の糊貯留部（糊箱）の糊が一定量以下に減少した際には、供給制御装置の制御により、接続ケーブルまたは無線接続を介して、壁紙糊付機本体の駆動を制御する糊付駆動制御部と、攪拌供給装置の駆動を制御する攪拌供給駆動制御部とが制御されて、連動供給運転制御がなされ、攪拌供給装置から、調合・攪拌した糊を、安定して、一定量で、自動壁紙糊付機の壁紙糊付機本体の糊貯留部へ供給可能である。
【図面の簡単な説明】
【００７２】
【図１】図１は、本発明の自動壁紙糊付機の糊攪拌供給システムの概略を示すブロック図である。
【図２】図２は、本発明の自動壁紙糊付機の糊攪拌供給システムの自動壁紙糊付機の斜視図である。
【図３】図３は、本発明の自動壁紙糊付機の糊攪拌供給システムの自動壁紙糊付機の攪拌供給装置を示す斜視図である。
【図４】図４は、本発明の自動壁紙糊付機の糊攪拌供給システムの自動壁紙糊付機と攪拌供給装置との間を接続する接続ケーブルの斜視図である。
【図５】図５は、接続ケーブルを介して、本発明の自動壁紙糊付機の糊攪拌供給システムの自動壁紙糊付機と攪拌供給装置との間を接続した状態を説明する斜視図である。
【図６】図６は、接続ケーブルを介して、本発明の自動壁紙糊付機の糊攪拌供給システムの自動壁紙糊付機と攪拌供給装置との間を接続した状態を説明する部分拡大斜視図である。
【図７】図７は、本発明の自動壁紙糊付機の糊攪拌供給システムの自動壁紙糊付機の攪拌供給装置に、糊の供給を手動で操作するＯＮ／ＯＦＦスイッチとして、フットスイッチを接続する状態を説明する斜視図である。
【図８】図８は、本発明の自動壁紙糊付機の糊攪拌供給システムの自動壁紙糊付機の攪拌供給装置に、糊の供給を手動で操作するＯＮ／ＯＦＦスイッチとして、ハンドスイッチを接続する状態を説明する斜視図である。
【図９】図９は、本発明の自動壁紙糊付機の糊攪拌供給システムの供給制御装置が、接続ケーブルが、接続状態か否かで、攪拌供給装置から、壁紙糊付機本体に対して糊を供給する制御を行う場合の制御方法を示すフローチャートである。
【図１０】図１０は、本発明の自動壁紙糊付機の糊攪拌供給システムの供給制御装置が、接続ケーブルが、差動状態か否かで、攪拌供給装置から、壁紙糊付機本体に対して糊を供給する制御を行う場合の制御方法を示すフローチャートである。
【図１１】図１１は、本発明の自動壁紙糊付機の糊攪拌供給システムの概略を示すブロック図である。
【図１２】図１２は、従来の自動壁紙糊付機の糊攪拌供給システム１００のブロック図である。
【図１３】図１３は、従来の自動壁紙糊付機の糊攪拌供給システム１００の攪拌供給装置１０４の電源コード１３４の接続状態を説明する部分拡大斜視図である。
【図１４】図１４は、従来の自動壁紙糊付機の糊攪拌供給システム１００において、手動で操作するＯＮ／ＯＦＦスイッチとして、フットスイッチ１３６を接続する状態を説明する斜視図である。
【発明を実施するための形態】
【００７３】
以下、本発明の実施の形態（実施例）を図面に基づいてより詳細に説明する。
（実施例１）
【００７４】
図１は、本発明の自動壁紙糊付機の糊攪拌供給システムの概略を示すブロック図、図２は、本発明の自動壁紙糊付機の糊攪拌供給システムの自動壁紙糊付機の斜視図、図３は、本発明の自動壁紙糊付機の糊攪拌供給システムの自動壁紙糊付機の攪拌供給装置を示す斜視図、図４は、本発明の自動壁紙糊付機の糊攪拌供給システムの自動壁紙糊付機と攪拌供給装置との間を接続する接続ケーブルの斜視図、図５は、接続ケーブルを介して、本発明の自動壁紙糊付機の糊攪拌供給システムの自動壁紙糊付機と攪拌供給装置との間を接続した状態を説明する斜視図、図６は、接続ケーブルを介して、本発明の自動壁紙糊付機の糊攪拌供給システムの自動壁紙糊付機と攪拌供給装置との間を接続した状態を説明する部分拡大斜視図、図７は、本発明の自動壁紙糊付機の糊攪拌供給システムの自動壁紙糊付機の攪拌供給装置に、糊の供給を手動で操作するＯＮ／ＯＦＦスイッチとして、フットスイッチを接続する状態を説明する斜視図、図８は、本発明の自動壁紙糊付機の糊攪拌供給システムの自動壁紙糊付機の攪拌供給装置に、糊の供給を手動で操作するＯＮ／ＯＦＦスイッチとして、ハンドスイッチを接続する状態を説明する斜視図、図９は、本発明の自動壁紙糊付機の糊攪拌供給システムの供給制御装置が、接続ケーブルが、接続状態か否かで、攪拌供給装置から、壁紙糊付機本体に対して糊を供給する制御を行う場合の制御方法を示すフローチャートである。
【００７５】
図１〜図５に示したように、符号１０は、全体で、自動壁紙糊付機の糊攪拌供給システム（以下、単に「糊攪拌供給システム１０」と言う）を示している。
【００７６】
糊攪拌供給システム１０は、壁紙の裏面に、所定の量で、所定の長さの壁紙に自動的に塗布するための自動壁紙糊付機１２を備えている。
なお、自動壁紙糊付機１２は、壁紙糊付機本体１６、制御部（制御ボックス（糊付駆動制御部１８））、スリッター、脚部の４つに分解することができ、運搬の際には分割して運搬できるように構成されている。
【００７７】
また、糊攪拌供給システム１０は、一定量の糊と水を加えて、一定時間攪拌することにより、適切な粘度の糊を攪拌・精製（調合）するための攪拌供給装置１４を備えている。
【００７８】
さらに、図１に示したように、自動壁紙糊付機１２は、壁紙糊付機本体１６を備えており、壁紙糊付機本体１６は、壁紙糊付機本体１６の駆動を制御する糊付駆動制御部１８を備えている。
【００７９】
そして、糊付駆動制御部１８は、例えば、インプット（入力）された壁紙の種類（または壁紙の品番）、寸法、長さの情報により、壁紙の糊付け情報を演算するための壁紙糊付演算部２０を備えている。
【００８０】
また、糊付駆動制御部１８は、攪拌供給装置１４からの糊の供給時間を設定し入力するための供給時間入力部２２を備えている。
【００８１】
そして、糊付駆動制御部１８は、電源部２４に接続されているとともに、壁紙の長さ（測長結果）を表示したり、駆動モーターを駆動制御したり、壁紙の種類などの情報を入力するための表示部２６に接続されている。
なお、通常、壁紙糊付機本体１６に、操作ボックスが着脱自在に設けられており、この操作ボックスに、表示部２６が設けられている。また、操作ボックスの内部に、糊付駆動制御部１８が設けられている。
【００８２】
さらに、糊付駆動制御部１８は、自動壁紙糊付機１２の壁紙糊付機本体１６の糊貯留部（糊箱）１１の糊が一定量以下に減少した際に、制御信号送信部２８に対して送られる、糊供給信号（ＯＮ／ＯＦＦ信号）を生成するための糊供給信号生成回路３０を備えている。
【００８３】
また、電源部２４には、壁紙糊付機本体１６の電源コード（例えば、ＡＣ１００Ｖ電圧）３２を備えており、この電源コード３２が外部電源Ａに接続されるように構成されている。
【００８４】
一方、攪拌供給装置１４は、攪拌供給装置１４のポンプ部３４と攪拌部３６の駆動（切り替え駆動）を制御する攪拌供給駆動制御部３８を備えている。また、攪拌供給駆動制御部３８は、攪拌部３６における攪拌時間をインプット（入力）するための攪拌時間入力部４０を備えている。
【００８５】
また、攪拌供給装置１４は、電源部４２を備えており、この電源部４２は、電源コード（例えば、ＡＣ１００Ｖ電圧）４４を備えている。
【００８６】
そして、図１に示したように、攪拌供給装置１４の電源コード４４は、壁紙糊付機本体１６の電源コード３２が接続される外部電源とは別の外部電源Ｂに接続されるように構成されている。
【００８７】
また、図７に示したように、攪拌供給装置１４には、別途、手動で操作するＯＮ／ＯＦＦスイッチ、例えば、フットスイッチ４６が、接続ジャックＪ２に、接続ケーブル４６ａを介して脱着自在に接続して、攪拌供給駆動制御部３８に対して、接続可能なように構成されている。
【００８８】
さらに、図８に示したように、攪拌供給装置１４には、別途、手動で操作するＯＮ／ＯＦＦスイッチ、例えば、ハンドスイッチ４５が、接続ジャックＪ２に、接続ケーブル４５ａを介して脱着自在に接続して、攪拌供給駆動制御部３８に対して、接続可能なように構成されている。
【００８９】
また、図３、図７、図８に示したように、攪拌供給装置１４には、切り替えスイッチ４８が設けられており、この切り替えスイッチ４８を、例えば、上下に移動することによって、ポンプ側、攪拌側、ＯＦＦと切り替えることができるようになっている。
【００９０】
さらに、図３、図７、図８に示したように、攪拌供給装置１４には、タイマー設定ツマミ５０が設けられており、攪拌供給装置１４を糊攪拌機として使用する場合に、糊の種類などに応じて、タイマー設定ツマミ５０を回すことによって、攪拌部３６における攪拌時間を、攪拌時間入力部４０にインプット（入力）することができるように構成されている。
【００９１】
また、図１、図４〜図６に示したように、攪拌供給駆動制御部３８には、糊付駆動制御部１８の制御信号送信部２８と、例えば、モノラルケーブルから構成される接続ケーブル６０を介して接続される制御信号受信部５４を備えている。
【００９２】
すなわち、図１、図４〜図６に示したように、攪拌供給装置１４の接続ジャックＪ１に、接続ケーブル６０の一端部６０ａを接続するとともに、糊付駆動制御部１８の接続ジャックＪ３（例えば、５Ｖ）に接続ケーブル６０の一端部６０ｂを接続することができるようになっている。
【００９３】
この場合、接続ジャックＪ１、接続ジャックＪ３と、接続ジャックＪ２において、これらの接続ケーブル４６ａ、４５ａ、６０の差し間違い防止のため、接続ジャックＪ１、接続ジャックＪ３は、例えば、φ３．５ｍｍ、接続ジャックＪ２は、例えば、φ６．３ｍｍの寸法の相違するジャックを採用することが望ましい。
【００９４】
このように構成される従来の糊攪拌供給システム１０では、以下のようにして使用される。
【００９５】
先ず、壁紙糊付機本体１６の電源コード３２を、外部電源Ａに接続する。また、攪拌供給装置１４の電源コード４４を、壁紙糊付機本体１６の電源コード３２が接続される外部電源とは別の外部電源Ｂに接続しておく。
【００９６】
そして、この状態で、図９に示したフローチャートのように、本発明の糊攪拌供給システム１０の供給制御装置１３において、これらの接続ケーブル４６ａ、４５ａ、６０が、接続状態か否かで、攪拌供給装置１４から、壁紙糊付機本体１６に対して糊を供給する制御を行う制御方法が行われる。
【００９７】
すなわち、図９に示したように、ステップＳ１において、制御が開始される。そして、ステップＳ２において、切り替えスイッチ４８を、例えば、上下に移動することによって、切り替えスイッチ４８が、ポンプ側、攪拌側のどちらにあるかが判断される。
【００９８】
ステップＳ２において、切り替えスイッチ４８が、攪拌側にあると判断された場合には、攪拌供給装置１４のタンク１５内に、一定量の糊と水を加えて攪拌供給装置１４を糊攪拌機として使用する場合である。
【００９９】
従って、この場合には、ステップＳ３に進み、ステップＳ３において、タイマー設定ツマミ５０を回すことによって、攪拌部３６における攪拌時間が、攪拌時間入力部４０にインプット（入力）されているかが判断される。
【０１００】
ステップＳ３において、タイマー設定ツマミ５０を回すことによって、攪拌部３６における攪拌時間が、攪拌時間入力部４０にインプット（入力）されていると判断された場合には、ステップＳ４に進み、ステップＳ４において、攪拌供給駆動制御部３８の制御により、図示しない攪拌羽根からなる攪拌部３６が作動され、設定された一定時間攪拌することにより、適切な粘度の糊を攪拌・精製（調合）するようになっている。
【０１０１】
そして、ステップＳ４において、設定された一定時間攪拌された後、ステップＳ５に進み、制御がリターン（ＲＥＴＵＲＮ）となる。
【０１０２】
一方、ステップＳ３において、タイマー設定ツマミ５０を回されず、攪拌部３６における攪拌時間が、攪拌時間入力部４０にインプット（入力）されていないと判断された場合には、ステップＳ６に進み、ステップＳ６において、攪拌部３６における攪拌が行われずに、ステップＳ５に進み、制御がリターン（ＲＥＴＵＲＮ）となる。
【０１０３】
また、ステップＳ２において、切り替えスイッチ４８が、ポンプ側にあると判断された場合には、攪拌供給装置１４を糊供給用ポンプとして使用する場合である。
【０１０４】
従って、この場合には、ステップＳ７に進み、ステップＳ７において、攪拌供給装置１４の接続ジャックＪ１に、モノラルケーブルから構成される接続ケーブル６０の一端部６０ａが接続され、壁紙糊付機本体１６の接続ジャックＪ３に、接続ケーブル６０の一端部６０ｂが接続されているか否かが判断される。
【０１０５】
そして、ステップＳ７において、攪拌供給装置１４の接続ジャックＪ１に、モノラルケーブルから構成される接続ケーブル６０の一端部６０ａが接続され、壁紙糊付機本体１６の接続ジャックＪ３に、接続ケーブル６０の一端部６０ｂが接続されていると判断された場合には、ステップＳ８に進む。
【０１０６】
すなわち、ステップＳ８において、壁紙糊付機本体１６の糊貯留部へ攪拌した糊を供給する際、または、壁紙糊付機本体１６の糊貯留部（糊箱）１１の糊が一定量以下に減少した際であるので、攪拌供給装置１４を糊供給用ポンプとして使用して、ポンプ部３４を始動して、接続ホース５２を介して、壁紙糊付機本体１６の糊貯留部へ攪拌した糊を供給する。なお、図５では、接続ホース５２を壁紙糊付機本体１６の糊貯留部へ接続していない状態を図示している。
【０１０７】
この際には、図１に示したように、糊供給信号生成回路３０で生成された糊供給信号（ＯＮ／ＯＦＦ信号）が、糊付駆動制御部１８の制御信号送信部２８から、接続ケーブル６０を介して、攪拌供給駆動制御部３８の制御信号受信部５４へ、糊供給信号（ＯＮ／ＯＦＦ信号）が送られるようになっている。
【０１０８】
そして、ステップＳ８において、糊付駆動制御部１８は、攪拌供給装置１４からの糊の供給時間を設定し入力するための供給時間入力部２２の入力に従って、一定時間、壁紙糊付機本体１６の糊貯留部へ攪拌した糊を供給した後、ステップＳ５に進み、制御がリターン（ＲＥＴＵＲＮ）となる。
【０１０９】
一方、ステップＳ７おいて、攪拌供給装置１４の接続ジャックＪ１に、モノラルケーブルから構成される接続ケーブル６０の一端部６０ａが接続されず、壁紙糊付機本体１６の接続ジャックＪ３に、接続ケーブル６０の一端部６０ｂが接続されていいないと判断された場合には、ステップＳ９に進む。
【０１１０】
そして、ステップＳ９おいて、手動で操作するＯＮ／ＯＦＦスイッチ、例えば、フットスイッチ４６が、接続ジャックＪ２に、または、例えば、ハンドスイッチ４５が、接続ジャックＪ２に、接続されているか否かが判断される。
【０１１１】
ステップＳ９おいて、手動で操作するＯＮ／ＯＦＦスイッチである、フットスイッチ４６が、接続ジャックＪ２に、または、ハンドスイッチ４５が、接続ジャックＪ２に、接続されていると判断された場合には、ステップＳ１０に進む。
【０１１２】
そして、ステップＳ１０において、手動で操作するＯＮ／ＯＦＦスイッチである、フットスイッチ４６、または、ハンドスイッチ４５をＯＮにしている間だけ、ポンプ部３４が始動して、攪拌供給装置１４から、調合・攪拌した糊が、壁紙糊付機本体１６の糊貯留部へ供給されるようになっている。
【０１１３】
ステップＳ１０において、一定時間、壁紙糊付機本体１６の糊貯留部へ攪拌した糊を供給した後、ステップＳ５に進み、制御がリターン（ＲＥＴＵＲＮ）となる。
【０１１４】
一方、ステップＳ９において、手動で操作するＯＮ／ＯＦＦスイッチである、フットスイッチ４６が、接続ジャックＪ２に、または、ハンドスイッチ４５が、接続ジャックＪ２に、接続されていいないと判断された場合には、ステップＳ１１に進む。
【０１１５】
そして、ステップＳ１１において、ポンプ部３４が始動して、一定時間、壁紙糊付機本体１６の糊貯留部へ攪拌した糊を供給した後、ステップＳ５に進み、制御がリターン（ＲＥＴＵＲＮ）となる。
（実施例２）
【０１１６】
図１０は、本発明の自動壁紙糊付機の糊攪拌供給システムの供給制御装置が、接続ケーブルが、差動状態か否かで、攪拌供給装置から、壁紙糊付機本体に対して糊を供給する制御を行う場合の制御方法を示すフローチャートである。
【０１１７】
なお、本明細書中、「差動状態」とは、接続ケーブル６０のそれぞれの端子である一端部６０ａ、６０ｂが、接続されて導通状態であることを、図示しないＡＮＤ回路を使用することによって判別し、さらに、壁紙糊付機本体１６の側からの糊供給信号が出ているかどうかで判断して、接続ケーブル６０が接続された状態を、平衡状態であると見なして、糊供給信号の信号が出ているかどうかを見ていることを言う。
【０１１８】
すなわち、図１０に示したように、ステップＳ１において、制御が開始される。そして、ステップＳ１２において、切り替えスイッチ４８を、例えば、上下に移動することによって、切り替えスイッチ４８が、ポンプ側、攪拌側のどちらにあるかが判断される。
【０１１９】
ステップＳ１２において、切り替えスイッチ４８が、攪拌側にあると判断された場合には、攪拌供給装置１４のタンク１５内に、一定量の糊と水を加えて攪拌供給装置１４を糊攪拌機として使用する場合である。
【０１２０】
従って、この場合には、ステップＳ１３に進み、ステップＳ１３において、タイマー設定ツマミ５０を回すことによって、攪拌部３６における攪拌時間が、攪拌時間入力部４０にインプット（入力）されているかが判断される。
【０１２１】
ステップＳ１３において、タイマー設定ツマミ５０を回すことによって、攪拌部３６における攪拌時間が、攪拌時間入力部４０にインプット（入力）されていると判断された場合には、ステップＳ１４に進み、ステップＳ１４において、攪拌供給駆動制御部３８の制御により、図示しない攪拌羽根からなる攪拌部３６が作動され、設定された一定時間攪拌することにより、適切な粘度の糊を攪拌・精製（調合）するようになっている。
【０１２２】
そして、ステップＳ１４において、設定された一定時間攪拌された後、ステップＳ１５に進み、制御がリターン（ＲＥＴＵＲＮ）となる。
【０１２３】
一方、ステップＳ１３において、タイマー設定ツマミ５０を回されず、攪拌部３６における攪拌時間が、攪拌時間入力部４０にインプット（入力）されていないと判断された場合には、ステップＳ１６に進み、ステップＳ１５において、攪拌部３６における攪拌が行われずに、ステップＳ１５に進み、制御がリターン（ＲＥＴＵＲＮ）となる。
【０１２４】
また、ステップＳ１３において、切り替えスイッチ４８が、ポンプ側にあると判断された場合には、攪拌供給装置１４を糊供給用ポンプとして使用する場合である。
【０１２５】
従って、この場合には、ステップＳ１７に進み、ステップＳ１７において、モノラルケーブルから構成される接続ケーブル６０が差動状態であるか否かが判断される。
【０１２６】
そして、ステップＳ１７において、モノラルケーブルから構成される接続ケーブル６０が差動状態であると判断された場合には、ステップＳ１８に進む。
【０１２７】
すなわち、ステップＳ１８において、壁紙糊付機本体１６の糊貯留部へ攪拌した糊を供給する際、または、壁紙糊付機本体１６の糊貯留部（糊箱）１１の糊が一定量以下に減少した際であるので、攪拌供給装置１４を糊供給用ポンプとして使用して、ポンプ部３４を始動して、接続ホース５２を介して、壁紙糊付機本体１６の糊貯留部へ攪拌した糊を供給する。
【０１２８】
この際には、図１に示したように、糊供給信号生成回路３０で生成された糊供給信号（ＯＮ／ＯＦＦ信号）が、糊付駆動制御部１８の制御信号送信部２８から、接続ケーブル６０を介して、攪拌供給駆動制御部３８の制御信号受信部５４へ、糊供給信号（ＯＮ／ＯＦＦ信号）が送られるようになっている。
【０１２９】
そして、ステップＳ１８において、糊付駆動制御部１８は、攪拌供給装置１４からの糊の供給時間を設定し入力するための供給時間入力部２２の入力に従って、一定時間、壁紙糊付機本体１６の糊貯留部へ攪拌した糊を供給した後、ステップＳ１５に進み、制御がリターン（ＲＥＴＵＲＮ）となる。
【０１３０】
一方、ステップＳ１７において、モノラルケーブルから構成される接続ケーブル６０が差動状態でないと判断された場合には、ステップＳ１９に進む。
【０１３１】
そして、ステップＳ１９において、手動で操作するＯＮ／ＯＦＦスイッチ、例えば、フットスイッチ４６、または、例えば、ハンドスイッチ４５が、差動状態にあるか否かが判断される。
【０１３２】
ステップＳ１９において、手動で操作するＯＮ／ＯＦＦスイッチ、フットスイッチ４６、または、ハンドスイッチ４５が、差動状態にあると判断された場合には、ステップＳ２０に進む。
【０１３３】
そして、ステップＳ２０において、手動で操作するＯＮ／ＯＦＦスイッチである、フットスイッチ４６、または、ハンドスイッチ４５をＯＮにしている間だけ、ポンプ部３４が始動して、攪拌供給装置１４から、調合・攪拌した糊が、壁紙糊付機本体１６の糊貯留部へ供給されるようになっている。
【０１３４】
ステップＳ２０において、一定時間、壁紙糊付機本体１６の糊貯留部へ攪拌した糊を供給した後、ステップＳ１５に進み、制御がリターン（ＲＥＴＵＲＮ）となる。
【０１３５】
一方、ステップＳ１９において、手動で操作するＯＮ／ＯＦＦスイッチ、フットスイッチ４６、または、ハンドスイッチ４５が、差動状態にないと判断された場合には、ステップＳ２１に進む。
【０１３６】
そして、ステップＳ２１において、ポンプ部３４が始動して、一定時間、壁紙糊付機本体１６の糊貯留部へ攪拌した糊を供給した後、ステップＳ１５に進み、制御がリターン（ＲＥＴＵＲＮ）となる。
【０１３７】
なお、以上の実施例では、壁紙糊付機本体１６の駆動を制御する糊付駆動制御部１８と、攪拌供給装置１４の駆動を制御する攪拌供給駆動制御部３８との間を、モノラルケーブルから構成される接続ケーブル６０で接続したが、例えば、Ｗｉ−Ｆｉ、赤外線接続などの無線接続で接続することも可能である。
【０１３８】
また、同様に、攪拌供給装置１４には、手動で操作するＯＮ／ＯＦＦスイッチとして、例えば、フットスイッチ４６が、接続ケーブル４６ａを介して脱着自在に接続して、
ハンドスイッチ４５が、接続ケーブル４５ａを介して接続したが、これらの接続も、例えば、Ｗｉ−Ｈｉ、赤外線接続などの無線接続で接続することも可能である。
【０１３９】
また、供給制御装置１３は、図示しないが、壁紙糊付機本体１６の糊付駆動制御部１８、または、攪拌供給装置１４の攪拌供給駆動制御部３８の少なくともいずれか一方に設けられていればよい。
【０１４０】
さらに、供給制御装置１３は、図１１に示したように、壁紙糊付機本体１６と攪拌供給装置１４とは別に設けられた外部制御装置６２に設けることも可能である。
【０１４１】
以上のように構成される本発明の糊攪拌供給システム１０によれば、壁紙糊付機本体１６の電源コード３２と、攪拌供給装置１４の電源コード４４を別々の電源（外部電源Ａ、Ｂ）に接続するように構成しているので、例えば、粘性の濃い糊を供給する際に、攪拌供給装置１４が、大きい電流を必要とする場合でも、攪拌供給装置１４の電源電圧と、壁紙糊付機本体１６の制御装置の電源電圧の両方が低下せず、壁紙糊付機本体１６の制御に支障が生じず、攪拌供給装置１４から、調合・攪拌した糊を、安定して、一定量で、自動壁紙糊付機１２の壁紙糊付機本体１６の糊貯留部へ供給可能である。
【０１４２】
また、攪拌供給装置１４の電源電圧と、壁紙糊付機本体１６の制御装置の電源電圧の両方が低下せず、攪拌供給装置１４を糊攪拌機として使用する場合に、安定した攪拌作動ができ、適切な粘度の糊を攪拌・精製（調合）することができる。
【０１４３】
さらに、従来のように攪拌供給装置１４の電源コードを、壁紙糊付機本体１６の電源部のサービスコンセントから取り外して、別系統の電源コードにつなぎ直す必要がなく、煩雑な作業が不要で、漏電するおそれもない。
【０１４４】
また、本発明では、壁紙糊付機本体１６の駆動を制御する糊付駆動制御部１８と、攪拌供給装置１４の駆動を制御する攪拌供給駆動制御部３８との間を、モノラルケーブルから構成される接続ケーブル６０または無線接続を介して接続可能に構成し、攪拌供給装置１４から、壁紙糊付機本体１６に対して糊を供給するように制御する供給制御装置１３を備えている。
【０１４５】
従って、自動壁紙糊付機１２の壁紙糊付機本体１６の糊貯留部へ攪拌した糊を供給する際、または、自動壁紙糊付機１２の壁紙糊付機本体１６の糊貯留部（糊箱）１１の糊が一定量以下に減少した際には、供給制御装置１３の制御により、接続ケーブルまたは無線接続を介して、壁紙糊付機本体１６の駆動を制御する糊付駆動制御部１８と、攪拌供給装置１４の駆動を制御する攪拌供給駆動制御部３８とが制御されて、連動供給運転制御がなされ、攪拌供給装置１４から、調合・攪拌した糊を、安定して、一定量で、自動壁紙糊付機１２の壁紙糊付機本体１６の糊貯留部へ供給可能である。
【０１４６】
以上、本発明の好ましい実施の態様を説明してきたが、本発明はこれに限定されることはなく、例えば、上記の実施例では、攪拌供給装置１４は、タイマー設定ツマミ５０を回すことによって、攪拌部３６における攪拌時間を、攪拌時間入力部４０にインプット（入力）するとともに、切り替えスイッチ４８を、例えば、上下に移動することによって、ポンプ側、攪拌側、ＯＦＦと切り替えるように構成したが、これらを、例えば、液晶表示装置を操作することによって、操作できるようにするなど本発明の目的を逸脱しない範囲で種々の変更が可能である。
【産業上の利用可能性】
【０１４７】
本発明は、壁紙（クロス）の裏面に、例えば、天井、壁面に貼着するための糊を、所定の量で、所定の長さの壁紙に自動的に塗布するための自動壁紙糊付機において、壁紙糊付機本体の糊貯留部の糊が一定量以下に減少した際に、攪拌供給装置で攪拌・精製（調合）した糊を、攪拌供給装置から、自動壁紙糊付機の壁紙糊付機本体に対して供給するための自動壁紙糊付機の糊攪拌供給システムに適用することができる。
【符号の説明】
【０１４８】
１０    糊攪拌供給システム
１１    糊貯留部（糊箱）
１２    自動壁紙糊付機
１３    供給制御装置
１４    攪拌供給装置
１５    タンク
１６    壁紙糊付機本体
１８    糊付駆動制御部
２０    壁紙糊付演算部
２２    供給時間入力部
２４    電源部
２６    表示部
２８    制御信号送信部
３０    糊供給信号生成回路
３２    電源コード
３４    ポンプ部
３６    攪拌部
３８    攪拌供給駆動制御部
４０    攪拌時間入力部
４２    電源部
４４    電源コード
４５    ハンドスイッチ
４６    フットスイッチ
４６ａ、４５ａ    接続ケーブル
４８    切り替えスイッチ
５０    タイマー設定ツマミ
５２    接続ホース
５４    制御信号受信部
６０    接続ケーブル
６０ａ    一端部
６０ｂ    一端部
６２    外部制御装置
１００    糊攪拌供給システム
１０２    自動壁紙糊付機
１０４    攪拌供給装置
１０６    壁紙糊付機本体
１０８    糊付駆動制御部
１１０    壁紙糊付演算部
１１２    供給時間入力部
１１４    電源部
１１６    表示部
１１８    サービスコンセント
１２０    糊供給信号生成回路
１２２    電源コード
１２４    ポンプ部
１２６    攪拌部
１２８    攪拌供給駆動制御部
１３０    攪拌時間入力部
１３２    電源部
１３４    電源コード
１３６    フットスイッチ
１３６ａ    接続ケーブル
１３８    切り替えスイッチ
１４０    タイマー設定ツマミ
１４２    接続ホース
Ａ、Ｂ    外部電源
Ｊ１〜Ｊ４    接続ジャック
【図１】
2019010604.tif 000003
【図２】
2019010604.tif 000004
【図３】
2019010604.tif 000005
【図４】
2019010604.tif 000006
【図５】
2019010604.tif 000007
【図６】
2019010604.tif 000008
【図７】
2019010604.tif 000009
【図８】
2019010604.tif 000010
【図９】
2019010604.tif 000011
【図１０】
2019010604.tif 000012
【図１１】
2019010604.tif 000013
【図１２】
2019010604.tif 000014
【図１３】
2019010604.tif 000015
【図１４】
2019010604.tif 000016